(57)【要約】【課題】  高さ調整台の位置を低くする場合に、フリーアクセスフロア用パネルを固定する固定ネジ部材を最後まで締付けることができると共に、同パネルの高さを低くすることができる領域を拡大することができるフリーアクセスフロア用支持脚を提供する。【解決手段】  第１のネジ孔２８と第２のネジ孔３０とが連通するよう同一軸線上に形成されている高さ調整台８と、第１のネジ孔にネジ結合して載置面２２ａ上に載置されたフリーアクセスフロア用パネルを固定する固定ネジ部材１２と、第２のネジ孔に支持ボルト部材５６をネジ結合させて高さ調整台を支持する脚部５２とを備えるフリーアクセスフロア用支持脚５０であって、支持ボルト部材に、その先端面に開口して、直径が固定ネジ部材のネジ部の直径より大きい穴部５８が形成されるようにした。【選択図】      図１
2006104891.tif 000002
【特許請求の範囲】
【請求項１】
フリーアクセスフロア用パネルが載置される載置面側に開口する第１のネジ孔と、この第１のネジ孔よりも直径が大きくて前記載置面とは反対側に開口する第２のネジ孔とが互いに連通するように同一軸線上に形成されている高さ調整台と、
前記第１のネジ孔にネジ結合して前記載置面上に載置された前記フリーアクセスフロア用パネルの隅部を固定する固定ネジ部材と、
前記第２のネジ孔に支持ボルト部材をネジ結合させて前記高さ調整台を支持する脚部と
を備えるフリーアクセスフロア用支持脚であって、
前記支持ボルト部材に、その先端面に開口して、直径が前記固定ネジ部材のネジ部の直径より大きい穴部が形成されていることを特徴とするフリーアクセスフロア用支持脚。
【請求項２】
フリーアクセスフロア用パネルが載置される載置面側に開口する第１のネジ孔と、この第１のネジ孔よりも直径が小さくて前記載置面とは反対側に開口する第２のネジ孔とが互いに連通するように同一軸線上に形成されている高さ調整台と、
前記第１のネジ孔にネジ結合して前記載置面上に載置された前記フリーアクセスフロア用パネルの隅部を固定する固定ネジ部材と、
前記第２のネジ孔に支持ボルト部材をネジ結合させて前記高さ調整台を支持する脚部と
を備えるフリーアクセスフロア用支持脚であって、
前記固定ネジ部材に、そのネジ部の先端面に開口して、直径が前記支持ボルト部材の直径より大きい穴部が形成されていることを特徴とするフリーアクセスフロア用支持脚。
【発明の詳細な説明】
【技術分野】
【０００１】
本発明は、フリーアクセスフロア構造のフリーアクセスフロア用パネルを支持するのに用いられるフリーアクセスフロア用支持脚に関するものである。
【背景技術】
【０００２】
図２ないし図４は、従来のフリーアクセスフロア構造を示す図である。図２に示すように、フリーアクセスフロア用支持脚２は、４枚のフリーアクセスフロア用パネル４の各隅部が一ヶ所に集まる位置に配置され、フリーアクセスフロア用パネル４のそれぞれの隅部をその下側から支持するようになっている。
【０００３】
図２におけるＡ−Ａ線断面を示す図３に示すように、フリーアクセスフロア用支持脚２は、脚部６、高さ調整台８、位置決めボルト１０、及び固定ネジ部材１２を備えて構成されている。脚部６は、コンクリート床面１４の上に載置されるベース板部材１６と、このベース板部材１６の上面から立設する支持ボルト部材１８により構成されている。
【０００４】
高さ調整台８には、その高さ方向の中間位置に円板状の支持板部２０が形成されており、この支持板部２０の上側には、図２に示すように上から見ると略十字状の形状を有する支持部２２が一体的に形成されている。また、図３に示すように、この支持部２２の上側の端面２２ａ（載置面に相当）には、ゴム材質等の緩衝材２４が貼着されていると共に、支持板部２０の下側には、ボス部２６が形成されている。
【０００５】
高さ調整台８の軸線方向には、その端面２２ａ側に開口する第１のネジ孔２８が形成されており、この第１のネジ孔２８の下方には、ボス部２６の端面２６ａに開口する、第１のネジ孔２８より直径が大きな、行き止り部３０ａを有する、第２のネジ孔３０が同一軸線上に連通して形成されている。
【０００６】
第２のネジ孔３０は、脚部６の支持ボルト部材１８にネジ結合して、支持ボルト部材１８との相対回転により高さ調整台８の高さを調整することができるようになっている。高さ調整台８の高さ位置が決まったら、位置決めボルト１０をボス部２６のネジ孔３１に締め付けることにより、高さ調整台８の高さ位置が支持ボルト部材１８に対して固定されるようになっている。
【０００７】
また、図２におけるＢ−Ｂ線断面を示す図４に示すように、フリーアクセスフロア用パネル４は、トップシート４ａとボトムシート４ｂにより構成されている。図示しないが、トップシート４ａの平面形状における各隅部が凹弧状となるように切り欠かれていることにより、図２に示すように、４枚のトップシート４ａの各隅部を突合わせたときに、それぞれの凹弧状の切り欠きが９０°ずつ組合わされて、固定ネジ部材１２のネジ部１２ａ（図３及び図４参照）を挿通させることができるような一つの挿通孔が形成されるようになっている。
【０００８】
図３及び図４に示すように、このような４枚のトップシート４ａの各隅部は、高さ調整台８の支持部２２の端面２２ａ上に緩衝材２４を介して載置されて、固定ネジ部材１２が第１のネジ孔２８に締付けられると、この固定ネジ部材１２の皿頭部１２ｂにより高さ調整台８側に押し付けられて固定されるようになっている。
【０００９】
また、トップシート４ａの平面形状における各隅部は、図４に示すように、上記凹弧状の切り欠きを含む先端側の部分がボトムシート４ｂ側に斜めに一段下がる段差を有するような断面形状に折り曲げられている。そして、この部分の段差が固定ネジ部材１２の皿頭部１２ｂと同じ高さになっているため、固定ネジ部材１２の皿頭部１２ｂは、トップシート４ａの折り曲げられた四隅の部分を除く平面部分よりも高くならないようになっている。
【発明の開示】
【発明が解決しようとする課題】
【００１０】
しかしながら、このような従来のフリーアクセスフロア用支持脚２は、高さ調整台８の高さ位置を低くする場合に、脚部６の支持ボルト部材１８を第２のネジ孔３０の奥の方に深くねじ込んで、支持ボルト部材１８の先端が第２のネジ孔３０の行き止り部３０ａ又はその近傍に達することがある。
【００１１】
この場合は、その後にフリーアクセスフロア用パネル４を高さ調整台８に載置して固定ネジ部材１２を締付けようとすると、この固定ネジ部材１２のネジ部１２ａの先端が支持ボルト部材１８の先端に突当たって、固定ネジ部材１２を最後まで締付けることができなくなってしまうおそれがあった。
【００１２】
逆に、固定ネジ部材１２を最後まで締付けることができるようにするためには、高さ調整台８を一定の高さ以上の位置に保持しなければならないため、フリーアクセスフロア用パネル４のコンクリート床面１４からの高さを、一定の高さよりも低くすることができないという問題もあった。
【００１３】
そこで本発明は、上記問題点に鑑みて、高さ調整台の位置を低くする場合に、フリーアクセスフロア用パネルを固定する固定ネジ部材を最後まで締付けることができると共に、同パネルの高さを低くすることができる領域を拡大することができるフリーアクセスフロア用支持脚を提供することを課題とするものである。
【課題を解決するための手段】
【００１４】
上記課題を解決するために本発明は、
フリーアクセスフロア用パネルが載置される載置面側に開口する第１のネジ孔と、この第１のネジ孔よりも直径が大きくて前記載置面とは反対側に開口する第２のネジ孔とが互いに連通するように同一軸線上に形成されている高さ調整台と、
前記第１のネジ孔にネジ結合して前記載置面上に載置された前記フリーアクセスフロア用パネルの隅部を固定する固定ネジ部材と、
前記第２のネジ孔に支持ボルト部材をネジ結合させて前記高さ調整台を支持する脚部と
を備えるフリーアクセスフロア用支持脚であって、
前記支持ボルト部材に、その先端面に開口して、直径が前記固定ネジ部材のネジ部の直径より大きい穴部が形成されていることを特徴とするものである。
【００１５】
また、上記課題を解決するために本発明は、
フリーアクセスフロア用パネルが載置される載置面側に開口する第１のネジ孔と、この第１のネジ孔よりも直径が小さくて前記載置面とは反対側に開口する第２のネジ孔とが互いに連通するように同一軸線上に形成されている高さ調整台と、
前記第１のネジ孔にネジ結合して前記載置面上に載置された前記フリーアクセスフロア用パネルの隅部を固定する固定ネジ部材と、
前記第２のネジ孔に支持ボルト部材をネジ結合させて前記高さ調整台を支持する脚部と
を備えるフリーアクセスフロア用支持脚であって、
前記固定ネジ部材に、そのネジ部の先端面に開口して、直径が前記支持ボルト部材の直径より大きい穴部が形成されていることを特徴とするものである。
【発明の効果】
【００１６】
このような本発明のフリーアクセスフロア用支持脚によれば、高さ調整台の位置を低くする場合に、フリーアクセスフロア用パネルを固定する固定ネジ部材を最後まで締付けることができると共に、同パネルの高さを低くすることができる領域を拡大することができる。
【発明を実施するための最良の形態】
【００１７】
以下、本発明に係るフリーアクセスフロア用支持脚の実施の形態について、図面に基づいて具体的に説明する。
【００１８】
図１は、本発明の一実施の形態に係るフリーアクセスフロア用支持脚５０について説明するために参照する図である。この図に示すフリーアクセスフロア用支持脚５０は、前記従来のフリーアクセスフロア用支持脚２と同様の構成についての重複する説明は省略するものとする。
【００１９】
図１に示すように、本発明の一実施の形態に係るフリーアクセスフロア用支持脚５０は、脚部５２の支持ボルト部材５６が高さ調整台８の第２のネジ孔３０にネジ結合するようになっている。
【００２０】
脚部５２の支持ボルト部材５６は、その先端部（図中、上端部）の端面に開口するセンター穴５８（穴部）を有している。このセンター穴５８は、固定ネジ部材１２のネジ部１２ａが第２のネジ孔３０の行き止り部３０ａから下方に突出している部分の長さよりも深くて、上記ネジ部１２ａの直径よりも大きい直径となるように形成されている。
【００２１】
このような本実施の形態に係るフリーアクセスフロア用支持脚５０によれば、高さ調整台８の位置を低くするために、脚部５２の支持ボルト部材５６を第２のネジ孔３０に奥深くねじ込んで、支持ボルト部材５６の先端が第２のネジ孔３０の行き止り部３０ａ又はその近傍に達しているような場合でも、固定ネジ部材１２のネジ部１２ａの先端は、支持ボルト部材５６のセンター穴５８の内部に入り込むことができるため、支持ボルト部材５６に突き当たることなく固定ネジ部材１２を最後まで締付けることができる。
【００２２】
また、固定ネジ部材１２のネジ部１２ａの先端が、支持ボルト部材５６のセンター穴５８の内部に入り込むことができるため、支持ボルト部材５６に突き当たることがないので、従来に比べてフリーアクセスフロア用パネル４の高さを一定の高さよりも一層低くすることができる。
【００２３】
また、固定ネジ部材１２を確実に最後まで締付けることができるので、固定ネジ部材１２の皿頭部１２ｂがフリーアクセスフロア用パネル４のトップシート４ａよりも上方に突出して障害物になることを防止することができると共に、同パネル４を確実にフリーアクセスフロア用支持脚５０に固定することができるので、同パネル４の浮き上がりを防止して安全性を向上させることができる。
【００２４】
なお、本実施の形態では、脚部５２の支持ボルト部材５６は、その先端部だけにセンター穴５８（穴部）が形成されている場合について説明したが、例えば、この支持ボルト部材５６は、センター穴５８の直径と同じ寸法の内径を有するような中空軸、すなわちセンター穴５８（穴部）の深さが支持ボルト部材５６の長さと同じ長さに形成されたものであってもよい。
【００２５】
また、本実施の形態では、脚部５２の支持ボルト部材５６の直径が固定ネジ部材１２のネジ部１２ａの直径よりも大きい場合について説明したが、逆に脚部５２の支持ボルト部材５６の直径が上記ネジ部１２ａの直径よりも小さいような場合には、図示しないが、上記ネジ部１２ａに、その先端面に開口して、支持ボルト部材５６の直径よりも大きい直径を有するセンター穴を形成するようにしてもよい。
【００２６】
このような場合には、高さ調整台８の位置を低くするために、脚部５２の支持ボルト部材５６を第２のネジ孔３０に奥深くねじ込んだときに、固定ネジ部材１２のネジ部１２ａの先端部に形成したセンター穴に支持ボルト部材５６の先端部が入り込むようになっている。このため、このような場合にも、本実施の形態と同様の効果を得ることができる。
【図面の簡単な説明】
【００２７】
【図１】本発明の一実施の形態に係るフリーアクセスフロア用支持脚５０を示す断面図である。
【図２】従来のフリーアクセスフロア用支持脚２及びフリーアクセスフロア用パネル４を示す平面図である。
【図３】図２に示すフリーアクセスフロア用支持脚２及びフリーアクセスフロア用パネル４のＡ−Ａ線矢視の断面図である。
【図４】図２に示すフリーアクセスフロア用支持脚２及びフリーアクセスフロア用パネル４のＢ−Ｂ線矢視の断面図である。
【符号の説明】
【００２８】
２  フリーアクセスフロア用支持脚
４  フリーアクセスフロア用パネル
４ａ  トップシート
４ｂ  ボトムシート
６  脚部
８  高さ調整台
１０  位置決めボルト
１２  固定ネジ部材
１２ａ  ネジ部
１２ｂ  皿頭部
１４  コンクリート床面
１６  ベース板部材
１８  支持ボルト部材
２０  支持板部
２２  支持部
２２ａ  端面
２４  緩衝材
２６  ボス部
２６ａ  端面
２８  第１のネジ孔
３０  第２のネジ孔
３０ａ  行き止り部
３１  ネジ孔
５０  フリーアクセスフロア用支持脚
５２  脚部
５６  支持ボルト部材
５８  センター穴
【図１】
2006104891.tif 000003
【図２】
2006104891.tif 000004
【図３】
2006104891.tif 000005
【図４】
2006104891.tif 000006